(57)【要約】【課題】水流切替用レバーに操作によって洗濯タイマーがパルセータの回転時間や停止時間を切り替える洗濯機において、水流の強度の選択肢を増やす。【解決手段】縦軸型の洗濯槽４と、洗濯槽４の内底面に設けられたパルセータ７と、水流切替用レバー４６の切替によってパルセータ７の回転時間あるいは停止時間を切り替えて水流の強弱を設定する洗濯タイマー４５とを備えた洗濯機１において、洗濯水が通過する通水穴７３を有し、パルセータ7の上方において洗濯槽４に着脱可能に装着され洗濯槽4内部を上下に仕切る仕切板７０を備えることを特徴とする。【選択図】        図１
2015205093.tif 000002
【特許請求の範囲】
【請求項１】
縦軸型の洗濯槽と、前記洗濯槽の内底面に設けられたパルセータと、水流切替用レバーの切替によって前記パルセータの回転時間あるいは停止時間を切り替えて水流の強弱を設定する洗濯タイマーとを備えた洗濯機において、
洗濯水が通過する通水穴を有し、前記パルセータの上方において前記洗濯槽に着脱可能に装着され前記洗濯槽内部を上下に仕切る仕切板を備えることを特徴とする洗濯機。
【請求項２】
前記仕切板と係合して前記洗濯槽内で前記仕切板を保持する係止部を備え、
前記係止部が、前記洗濯槽の高さ方向に間隔をあけて規定水位に対応した複数の位置に設けられていることを特徴とする請求項１に記載の洗濯機。
【請求項３】
前記係止部の位置と前記係止部が保持する前記仕切板の上方に発生する水流の強度との関係が、洗濯機本体に表示されていることを特徴とする請求項２に記載の洗濯機。
【請求項４】
最も高い規定水位より高い位置に前記仕切板を保持する前記係止部を備えることを特徴とする請求項２又は３に記載の洗濯機。
【請求項５】
前記仕切板は、表裏反転させて前記係止部に保持可能に設けられ、
前記仕切板の一方の面が平坦面をなし、他方の面が複数の突起が設けられた凹凸面をなしていることを特徴とする請求項１〜４のいずれか１項に記載の洗濯機。
【請求項６】
前記仕切板は、着脱可能に装着されるネットを備えることを特徴とする請求項１〜５のいずれか１項に記載の洗濯機。
【請求項７】
前記洗濯槽が、脱水槽と別個に設けられていることを特徴とする請求項１〜６のいずれか１項に記載の洗濯機。
【発明の詳細な説明】
【技術分野】
【０００１】
本発明の実施形態は洗濯機に関する。
【背景技術】
【０００２】
従来、洗濯タイマーに設けられた水流切替用レバーを操作つまみにより操作することで、洗濯タイマーがパルセータの回転時間（ＯＮ時限）や停止時間（ＯＦＦ時限）を内部の接点を切り替えて選択することにより水流の強弱を設定する洗濯機が知られている。
【０００３】
このような洗濯機では、洗濯タイマーの構造上、切替設定できるパルセータの回転時間や停止時間が２〜３種類程度と限られており、マイコンによってパルセータの回転及び停止を制御する洗濯機に比べて設定可能な水流の強度が限られている。特に、バネ接点を回転するカムにより切り替えて制御する例えばゼンマイ式の洗濯タイマーの場合、パルセータの回転時間や停止時間を短時間（例えば、２秒以下）に設定することができないため、弱い水流によってデリケートな衣類を傷めることなく洗濯することが困難である。
【０００４】
これに対して、洗い行程の時間を短くしてデリケートな衣類の傷みを抑えることも考えられるが、洗い行程の時間を短くしすぎると汚れが落ちにくくなる。
【０００５】
なお、下記特許文献１には、洗濯槽内の洗濯水を揚水して仕切板に載置された洗濯物に揚水した洗濯水を上方から散水する洗濯機が記載されているが、パルセータの回転によって発生する水流の強度を洗濯槽内に設けた仕切板によって調整することについて記載されていない。
【先行技術文献】
【特許文献】
【０００６】
【特許文献１】特開平１０−３２３４８６号公報
【発明の概要】
【発明が解決しようとする課題】
【０００７】
そこで、水流切替用レバーの操作によって洗濯タイマーがパルセータの回転時間や停止時間を切り替える洗濯機において、水流の強度の選択肢を増やし、汚れの多い洗濯物からデリケートな洗濯物まで洗濯することができる洗濯機を提供することを目的とする。
【課題を解決するための手段】
【０００８】
本実施形態の洗濯機は、縦軸型の洗濯槽と、前記洗濯槽の内底面に設けられたパルセータと、水流切替用レバーの切替によって前記パルセータの回転時間あるいは停止時間を切り替えて水流の強弱を設定する洗濯タイマーとを備えた洗濯機において、洗濯水が通過する通水穴を有し、前記パルセータの上方において前記洗濯槽に着脱可能に装着され前記洗濯槽内部を上下に仕切る仕切板を備えることを特徴とする。
【図面の簡単な説明】
【０００９】
【図１】一実施形態の洗濯機の概略的な破断正面図である。
【図２】洗濯蓋を取り外した状態を示す洗濯機全体の外観斜視図である。
【図３】操作部付近の平面図である。
【図４】操作部におけるベース部材の裏側付近の背面図である。
【図５】仕切板の平面図である。
【図６】図５のＡ−Ａ断面図である。
【図７】洗濯槽の部分断面図である。
【図８】仕切板の取付位置と仕切板の上方に発生する水流の関係を示す図である。
【図９】変更例を示す仕切板の断面図である。
【発明を実施するための形態】
【００１０】
以下、一実施形態について、図面を参照して説明する。
【００１１】
本実施形態は、水流切替用レバー４６の切替操作を受けて洗濯タイマー４５が、縦軸型の洗濯槽４の内底面に設けられたパルセータ７の回転時間（ＯＮ時限）や停止時間（ＯＦＦ時限）を切り替えて水流の強弱を設定する洗濯機１であって、特に、図１及び２に示すように、洗濯槽４が脱水槽５と別個に設けられたいわゆる二槽式洗濯機について説明する。
【００１２】
洗濯機１は、合成樹脂からなる矩形容器状の基台２の上に、合成樹脂製の槽体３が設けられている。槽体３には、洗濯槽４と脱水槽５とが左右に並置された状態で一体に設けられている。
【００１３】
洗濯槽４は、水平断面が角を丸めた矩形の筒状体からなり、内周壁の四隅に洗濯槽４内方へ突出し、仕切板７０を洗濯槽４内で保持する係止部１３が設けられている。また、洗濯槽４の内周壁の一箇所には、給水の止め忘れなどで異常な高水位となった時に所定水位を超えた水を機外へ排出すべく設けられた図示しない溢水口の前面を通水可能に覆う溢水ストレーナ６が装着されている。またこの溢水ストレーナ６にはこれに隣接して前記溢水口の高さを上下にスライド調節する溢水口位置調節レバー１９が設けられている。洗濯槽４の内底部には、上面に複数の撹拌突起８を備えたパルセータ７が回転可能に配設されている。
【００１４】
脱水槽５の内部には、周側部に多数の脱水孔９を有する脱水かご１０が回転可能に配設されている。脱水槽５の下方には、脱水かご１０を回転駆動する脱水用モータ１１と、その脱水用モータ１１の回転を制止するブレーキ装置１２が配設されている。
【００１５】
洗濯槽４の外底部には、排水管路１４に接続されその先端部に排水弁１５が接続されている。排水弁１５は、圧縮スプリングの付勢力によって内部の図示しない弁ゴムが閉塞状態に保たれ、この状態から、弁操作ワイヤ２２により圧縮スプリングの付勢力に抗して弁ゴムが引き上げられて排水路が開放する。
【００１６】
排水弁１５の出口側には、機外排水のための不図示の排水ホースが接続されている。脱水槽５の底部にも排水口２３（図１参照）が設けられており、この排水口２３も前記排水ホースに接続されている。
【００１７】
洗濯槽４の外下面部には軸受ハウジング２５が設けられている。この軸受ハウジング２５から上方へ突出した軸端部２６ａは、洗濯槽４の底部を水密且つ回転可能に貫通させて洗濯槽４の内底部から上方へ突出し、その突出部分にパルセータ７がねじにより着脱可能に取り付けられている。軸受ハウジング２５から下方へ突出した他方の軸端部２６ｂには従動プーリ２８が取り付けられている。洗濯槽４の下方において従動プーリ２８から間隔をあけた位置には、図１に示すように駆動プーリ３０が取り付けられた洗濯用モータ２９が配設されており、駆動プーリ３０と従動プーリ２８との間に伝動ベルト３１が掛け渡されている。
【００１８】
この結果、パルセータ７は、洗濯用モータ２９により、駆動プーリ３０、伝動ベルト３１、従動プーリ２８を順に介して、時計回りと反時計回りの正逆両方向に交互に低速回転駆動される。そして、パルセータ７の回転により、洗濯槽４に収容された洗濯水を撹拌して洗濯をするようになっている。また、脱水かご１０は、脱水用モータ１１の回転軸に直に連結され一方向に高速回転駆動されるようになっており、脱水かご１０内に収容された洗濯物を遠心脱水する。従って、洗濯用モータ２６、駆動プーリ３０、伝動ベルト３１、従動プーリ２８は、パルセータ７を回転駆動する駆動装置を構成するものであり、脱水用モータ１１は脱水かご１０を回転駆動する駆動装置として機能するものである。
【００１９】
槽体３の上部には上部カバー３４が装着されている。この上部カバー３４には、洗濯槽４の上面開口部を開閉する洗濯蓋３５が着脱可能に設けられているとともに、脱水槽５の上面開口部を開閉する脱水蓋３６が設けられている。脱水蓋３６は、後部を支点に上下方向に回動可能とされている。上部カバー３４の後部には、操作部３７が設けられている。
【００２０】
この操作部３７におけるベース部材３８の上面３８ａには、図３に示すように、左から洗濯タイマー用の操作つまみ４０と、水流切替用および排水弁開閉用の操作つまみ４１と、脱水タイマー用の操作つまみ４２と、ホース接続口４３と、注水先切替用の操作つまみ４４とが設けられている。
【００２１】
洗濯タイマー用の操作つまみ４０は、ベース部材３８の裏面３８ｂ側に設けられた洗濯運転時間を設定する洗濯タイマー４５（図４参照）を操作するためのものである。洗濯タイマー４５の裏面には、水流切替用レバー４６が軸部４６ａを支点に回動可能に設けられている。この水流切替用レバー４６は、水流を形成するパルセータ７のＯＮ時限とＯＦＦ時限を切り替えるためのもので、水流切替用レバー４６の回動により強水流と標準水流とを切り替えることができる。一例を挙げると、強水流設定時には、ＯＮ時限を７秒間、ＯＦＦ時限を５秒間にそれぞれ設定し、標準水流設定時には、ＯＮ時限を５秒間、ＯＦＦ時限を７秒間にそれぞれ設定する。
【００２２】
水流切替用および排水弁開閉用の操作つまみ４１には、回動部材５０が固定されており、操作つまみ４１の回動操作に連動して回動部材５０も同じ方向へ回動操作される。回動部材５０は、厚さ方向に貫通したカム溝５２と、カム溝５２を設けた部分と回動中心Ｏを挟んだ反対側に設けられた排水弁操作部５６とを備える。カム溝５２は、排水弁開閉用溝部５３と、この溝部５３に連続する水流切替用溝部５４とを有している。排水弁操作部５６には、引掛け部５７を介して排水弁１５に連結された弁操作ワイヤ２２の端部が連結されている。
【００２３】
回動部材５０におけるカム溝５２と水流切替用レバー４６との間に連動部材６３が設けられている。この連動部材６３は、図４において、左右方向に延びるレバー状をなしており、その一端部に設けられた連結部６４によって水流切替用レバー４６に対して回動可能に連結されている。また、連動部材６３の他端部には、カム溝５２に挿入される軸状の挿入部６５が設けられている。この挿入部６５は、回動部材５０のカム溝５２に挿入されるとともに、ベース部材３８の裏面３８ｂ側に設けられた固定側ガイド溝５８に挿入されており、回動部材５０の回動操作に伴ってカム溝５２及び固定側ガイド溝５８内を移動する。
【００２４】
このような操作部３７において「強水流」が設定されている状態では、水流切替用レバー４６が、図４において矢印Ｂ１方向へ回動されている。この状態では、回動部材５０に設けられた排水弁操作部５６が、図５において、回動部材５０の回動中心Ｏの右横に位置し、排水弁１５が圧縮スプリング１８の付勢力で閉鎖位置に保持されていて、排水弁１５としては閉鎖状態となっている。
【００２５】
そして、操作つまみ４１が、図３の「強水流」位置から「標準水流」位置方向である図３の矢印Ａ１方向へ回動操作されると、回動部材５０も矢印Ａ１方向へ回動される。なお、図４では、裏側から見ているため、矢印の向きが逆向きとなる。すると、カム溝５２における水流切替用溝部５４が、連動部材６３の挿入部６５を固定側ガイド溝５８に沿って移動させる。このとき、水流切替用溝部５４は、回動中心Ｏからの半径が小さくなるように変化しているので、連動部材６３の挿入部６５が、固定側ガイド溝５８に沿って回動部材５０の回動中心Ｏに近付く方向へ移動して、水流切替用レバー４６を矢印Ｂ２方向へ回動させる。この場合、回動部材５０の回動に伴い排水弁操作部５６も矢印Ａ１方向へ回動されるが、これは弁操作ワイヤ２２が緩む方向であるため、排水弁１５は閉鎖されたままである。
【００２６】
また、「標準水流」位置にある状態から操作つまみ４１が「強水流」位置まで回動される場合、各部材が上述とは逆向きに回動または移動するため、水流切替用レバー４６が矢印Ｂ１方向へ回動されることで、図４に示す「強水流」位置の状態へ戻される。
【００２７】
一方、操作つまみ４１が図３の「強水流」位置にある状態から「排水」位置方向である図３の矢印Ａ２方向へ回動操作されると、回動部材５０も図４の矢印Ａ２方向へ回動される。すると、カム溝５２における排水弁開閉用溝部５３が、連動部材６３の挿入部６５を残して同矢印Ａ２方向へ回動することになる。このとき、排水弁開閉用溝部５３は、回動中心Ｏからの半径がほぼ一定となっているので、挿入部６５を固定側ガイド溝５８に沿って移動させる力は発生せず、連動部材６３は図４に示す位置に留まったままの状態となり、水流切替用レバー４６は回動操作されず、回動部材５０のみが矢印Ａ２方向へ回動され、弁操作ワイヤ２２を介して排水弁１５内の前記した弁ゴムが圧縮スプリングの付勢力に抗して引き上げられて排水路が開放状態とされる。
【００２８】
このような構成の洗濯機１では、操作つまみ４１を回動操作することでパルセータ７のＯＮ時限及びＯＦＦ時限を変更して「強水流」及び「標準水流」の２種類の水流を発生させるが、洗濯槽４の内周壁に設けられた係止部１３に仕切板７０を係合させることで、パルセータ７の上方において洗濯槽４内部を上下に仕切り、仕切板７０の上方に「強水流」及び「標準水流」と異なる強度の水流を発生させて洗濯運転を行う。
【００２９】
係止部１３は、洗濯槽４内壁の四隅に設けられた上下一対の突条からなり、この上下一対の突条の間に仕切板７０の周縁部を挟み込むことで仕切板７０を洗濯槽４内に保持する。係止部１３の対は、洗濯槽４の高さ方向に間隔をあけて複数段（例えば、４段）設けられている。本実施形態では、複数段の係止部１３が、予め洗濯物の標準量を少・中・多の三段階に設定しそれに対応して設定された標準水量の高さ位置を低水位、中水位及び高水位の３種類の規定水位として設定し、これに対応した位置に設けられている。
【００３０】
具体的には、最も洗濯槽４の底面に近い位置に設けられた最下段の係止部１３ａは、低水位より所定値だけ低い位置であって、係止部１３ａに保持させた仕切板７０がパルセータ７に接触しない位置に設けられている。係止部１３ａの直上に設けられた２段目の係止部１３ｂは、中水位より所定値だけ低い位置に設けられ、係止部１３ｂの直上に設けられた３段目の係止部１３ｃは、高水位より所定値だけ低い位置に設けられている。また、係止部１３ｃの直上に設けられた最上段の係止部１３ｄは、高水位より上方に位置する洗濯槽４の溢水口位置調節レバー１９により最高位置に設定された溢水口の更に上方に設けられている。
【００３１】
また、洗濯槽４の内周壁には、上記した４段の係止部１３に加えて、予め設定された低水位、中水位、高水位の各規定水位の位置を示す目印１７ａと、係止部１３ａ〜１３ｃに仕切板７０を保持させた時に仕切板７０の上方に発生する水流の強度を各係止部１３ａ〜１３ｃの位置と関連づけて示す表示１７ｂが設けられている。この表示１７ｂは、操作部３７の操作つまみ４１において「強水流」及び「標準水流」が設定されたそれぞれの場合について設けられている（図１、７参照）。
【００３２】
上記した洗濯槽４では、係止部１３が洗濯槽４内方へ突出したアンダーカット形状となるが、洗濯槽４の軸方向に開閉（型抜き）する上下型の一部を、洗濯槽４の内側へスライドするスライドコアとすることで、係止部１３を備えた洗濯槽４を成形することができる。
【００３３】
仕切板７０は、ポリプロピレン（ＰＰ）等の合成樹脂成形体からなり、図５や図６に示すように、２枚の板状部材７１が連結軸７２により回動可能に連結されている。仕切板７０は、２枚の板状部材７１を開いた状態で洗濯槽４の水平断面形状に合わせた四隅を丸めた矩形状をなし、閉じた状態で２枚の板状部材７１が重なるように２つ折りなる。
【００３４】
仕切板７０を構成する２枚の板状部材７１には、洗濯水が通水可能な通水穴７３が格子状に複数設けられている。板状部材７１の一方の面は、ほぼ平坦な平坦面７１ａに設けられ、他方面は多数の突起７４が設けられた凹凸面７１ｂに設けられている。
【００３５】
このような仕切板７０は、表裏反転させて係止部１３に取付可能に設けられており、平坦面７１ａ及び凹凸面７１ｂのいずれか一方を上方に向け、２枚の板状部材７１を連結軸７２で折り曲げた状態で、洗濯槽４の四隅に設けた係止部１３の左右いずれか一方側の係止部１３に板状部材７１の周縁部を挟み込み、この状態から２枚の板状部材７１を開くことで、左右方向の他方側の係止部１３に板状部材７１の周縁部が挟み込まれる。これにより、仕切板７０が、洗濯槽４の四隅に設けられた全ての係止部１３に係合して、洗濯槽４内に保持される。
【００３６】
次の上記構成の作用を説明する。
【００３７】
洗濯槽４に設けられた最下段の係止部１３ａに仕切板７０を保持させ、この仕切板７０上に洗濯物を載置し、そして、高水位まで洗濯水を注水した後、操作部３７の操作つまみ４１によって「強水流」を設定した状態で、パルセータ７を正逆両方向に交互に低速回転させて洗い運転を実行する。
【００３８】
パルセータ７の回転によって洗濯槽４内に水流が発生すると、仕切板７０に設けられた通水穴７３を介して仕切板７０の上方にも水流が発生するが、パルセータ７から離れた位置にあるため、仕切板７０の上方には、パルセータ７近傍の水流に比べて若干弱い水流（「やや強」）が発生する。そのため、仕切板７０に載置された洗濯物は、洗濯槽４内に仕切板７０を配設しない場合に比べて若干弱い「やや強」の水流によって洗浄される（図８（ａ）参照）。
【００３９】
なお、仕切板７０の上方に発生する水流の強度は、主としてパルセータ７から仕切板７０までの距離に依存することから、最下段の係止部１３ａに仕切板７０を保持させると、洗濯槽４に注水した洗濯水の水位に関係なく中水位や低水位であっても、仕切板７０の上面に発生する水流の強度は「やや強」となり、この水流によって洗濯物を洗浄することができる。
【００４０】
仕切板７０の取付位置を最下段の係止部１３ａからその直上の２段目の係止部１３ｂに変更すると、パルセータ７から仕切板７０までの距離がそれまでより大きくなるため、高水位又は中水位まで洗濯水を注水した後、操作つまみ４１によって「強水流」を設定した状態で洗い運転を実行すると、最下段の係止部１３ａに仕切板７０を保持させた場合に比べて弱い水流（「標準」）によって洗濯物を洗浄することができる。
【００４１】
仕切板７０の位置を２段目の係止部１３ｂからその直上の３段目の係止部１３ｃに変更すると、パルセータ７から仕切板７０までの距離が更に大きくなるため、高水位まで洗濯水を注水した後、操作つまみ４１によって「強水流」を設定した状態で洗い運転を実行すると、２段目の係止部１３ｂに仕切板７０を保持させた場合に比べて更に弱い水流（「やや弱」）によって洗濯物を洗浄することができる。
【００４２】
つまり、操作つまみ４１によって「強水流」を設定した状態で、最下段の係止部１３ａ、２段目の係止部１３ｂ、３段目の係止部１３ｃのいずれかに仕切板７０を保持させることで、その仕切板７０の上方に「やや強」、「標準」、「やや弱」の水流を発生させ、パルセータ７によって発生する「強水流」より弱い３種類の強度の水流によって洗濯物を洗浄することができる。
【００４３】
また、操作部３７の操作つまみ４１による水流の設定を「強水流」から「標準水流」に変更した場合において、最下段の係止部１３ａに仕切板７０を保持させ、洗濯槽４の水位を低水位、中水位、又は高水位のいずれかに設定すると、洗濯槽４内に仕切板７０を配設しない場合に生じる「標準水流」に比べて弱い水流（「やや弱」）が仕切板７０の上方に生じ、これによって洗濯物を洗浄することができる。また、２段目の係止部１３ｂに仕切板７０を保持させ、洗濯槽４の水位を中水位又は高水位に設定すると、最下段の係止部１３ａに仕切板７０を保持させた場合に比べて弱い水流（「弱」）によって洗濯物を洗浄することができ、３段目の係止部１３ｃに仕切板７０を保持させ、洗濯槽４の水位を高水位に設定すると、２段目の係止部１３ｂに仕切板７０を保持させた場合に比べて更に弱い水流（「最弱」）によって洗濯物を洗浄することができる（図８（ｂ）参照）。
【００４４】
つまり、操作つまみ４１によって「標準水流」を設定した状態で、最下段の係止部１３ａ、２段目の係止部１３ｂ、３段目の係止部１３ｃのいずれかに仕切板７０を保持させることで、その仕切板７０の上方に「やや弱」、「弱」、「最弱」の水流を発生させ、パルセータ７によって発生する「標準水流」より弱い３種類の強度の水流によって洗濯物を洗浄することができる。
【００４５】
なお、仕切板７０の下方までしか洗濯水が存在せず仕切板７０の上方に洗濯水が存在しない場合、例えば、２段目の係止部１３ｂに仕切板７０を保持させて洗濯槽４の水位を低水位に設定する場合や、３段目の係止部１３ｃに仕切板７０を保持させて洗濯槽４の水位を低水位又は中水位に設定する場合や、最上段の係止部１３ｄに仕切板７０を保持させて洗濯槽４の水位を低水位、中水位、又は高水位に設定する場合、パルセータ７と仕切板７０との間に洗濯物を収納することで、洗い運転時に洗濯槽４の上面開口部から水滴が飛び散るスプラッシュ現象を防止することができる。
【００４６】
以上のような本実施形態の洗濯機１では、洗濯水が通過する通水穴７３を有した仕切板７０によって洗濯槽４内部を上下に仕切るため、パルセータ７から洗濯槽４内に収納された洗濯物まので距離を調整して、パルセータ７によって発生する水流より弱い強度の水流によって洗濯物を洗浄することができる。その結果、操作つまみ４１を介した水流切替用レバー４６の操作によって洗濯タイマー４５がパルセータ７のＯＮ時限及びＯＦＦ時限を切り替える洗濯機であっても、設定可能な水流の強度の選択肢を増やすことができ、汚れの多い洗濯物からデリケートな洗濯物まで使用者の要望に応じた水流で洗濯することができる。
【００４７】
また、本実施形態の洗濯機１では、仕切板７０を洗濯槽４内で保持する係止部１３が洗濯槽４の高さ方向に間隔をあけて複数設けられており、複数の係止部１３が、予め設定された規定水位に対応した位置に設けられているため、パルセータ７から洗濯物までの距離を多段階に調整することができ、設定可能な水流の強度の選択肢を増やすことができる。しかも、複数の係止部１３によって洗濯槽４の内周壁に洗濯板状の凹凸ができるため、洗濯物に対してこすり洗い効果を得ることができる。
【００４８】
また、係止部１３の取付位置と、係止部１３に仕切板７０を保持させた時に仕切板７０の上方に発生する水流の強度との関係を示す表示１７ｂが洗濯槽４に設けられているため、使用者は取扱説明書などを見ることなく簡便に所望の水流強度に設定することができる。
【００４９】
なお、本実施形態では、係止部１３の取付位置と発生する水流の強度との関係を示す表示１７ｂを、上記のような洗濯槽４に設ける場合について説明したが、これに限定されず、例えば、洗濯機１の槽体３や、洗濯蓋３５や、脱水蓋３６や、操作部３７におけるベース部材３８の上面３８ａや、仕切板７０などに設けることができるが、仕切板７０を洗濯槽４に取り付ける際に使用者の目に付きやすいことから、係止部１３の近傍にその係止部１３に仕切板７０を保持させた時に発生する水流の強度を示す表示１７ｂを設けることが好ましい。
【００５０】
また、本実施形態では、最も高い規定水位である高水位より上方に仕切板７０を保持する係止部１３ｄが設けられているため、この係止部１３ｄに仕切板７０を保持させることで、洗い運転時に洗濯槽４の上面開口部から水滴が飛び散るスプラッシュ現象を防止することができる。
【００５１】
また、本実施形態では、仕切板７０の一方の面が平坦な平坦面７１ａに設けられ、他方面が多数の突起７４が設けられた凹凸面７１ｂに設けられているため、デリケートな衣類を洗う場合は平坦面７１ａ側を上方に向けて洗濯槽４に取り付け、汚れをしっかりと落とす場合は、凹凸面７１ｂ側を上方に向けて洗濯槽４に取り付ける等、洗濯物の種類や汚れの程度に合わせて洗濯することができる。
【００５２】
なお、本実施形態では、予め設定された低水位、中水位及び高水位の規定水位より所定値だけ低い位置に係止部１３ａ〜１３ｃをそれぞれ設け、各規定水位に対応する係止部を１つずつ設ける場合について説明したが、各規定水位に対応する係止部を２以上ずつ設けてもよい。
【００５３】
（変更例）
次に、図９を参照して本実施形態の変更例について説明する。
【００５４】
本変更例では、仕切板７０に着脱可能に装着されるネット７５を備える。このネット７５は、伸縮性を有しており、仕切板７０の上面に載置された洗濯物Ｓを外側から覆うように仕切板７０に装着される。
【００５５】
このような変更例であると、洗濯物Ｓを仕切板７０上に固定するように保持することができるため、洗濯物Ｓの動きを制限することで布傷みを抑えて洗濯物Ｓを洗浄することができる。なお、その他の構成及び作用効果は上記した実施形態と同じであり、説明は省略する。
【００５６】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５７】
１…洗濯機、２…基台、３…槽体、４…洗濯槽、５…脱水槽、７…パルセータ、８…撹拌突起、１３…係止部、１３ａ…係止部、１３ｂ…係止部、１３ｃ…係止部、１３ｄ…係止部、１７ａ…目印、１７ｂ…表示、１９…溢水口、３７…操作部、３８…ベース部材、３８ａ…上面、３８ｂ…裏面、４３…ホース接続口、４５…洗濯タイマー、４６…水流切替用レバー、７０…仕切板、７１…板状部材、７１ａ…平坦面、７１ｂ…凹凸面、７２…連結軸、７３…通水穴、７４…突起、７５…ネット
【図１】
2015205093.tif 000003
【図２】
2015205093.tif 000004
【図３】
2015205093.tif 000005
【図４】
2015205093.tif 000006
【図５】
2015205093.tif 000007
【図６】
2015205093.tif 000008
【図７】
2015205093.tif 000009
【図８】
2015205093.tif 000010
【図９】
2015205093.tif 000011